(57)【要約】      （修正有）【課題】燃料と水の混合物の燃料消費量計算のための燃料制御システムを提供する。【解決手段】燃料制御システム３００は、ミキサー３３０と、ミキサーに流体が行き来可能に連結され、ミキサーへの燃料の流量を測定するように構成された燃料源３１０と、ミキサーに流体が行き来可能に連結され、ミキサーへの水の流量を測定するように構成された水源３１５と、ミキサーに行き来可能に連結された混合物流量計５を備える。混合物流量計は、ミキサーから燃料/水の混合物を受け取って、混合物の特性を測定するように構成されている。【選択図】図３
2020172930.tif 000002
【特許請求の範囲】
【請求項１】
燃料と水の混合物の燃料消費量計算のための燃料制御システム(300)であって、
ミキサー(330)と、
ミキサー(330)に流体が行き来可能に連結され、ミキサー(330)への燃料の流量を測定するように構成された燃料源(310)と、
ミキサー(330)に流体が行き来可能に連結され、ミキサー(330)への水の流量を測定するように構成された水源(315)と、
ミキサー(330)に行き来可能に連結された混合物流量計(5)であって、ミキサー(330)か
ら燃料/水の混合物を受け取って混合物の特性を測定するように構成された混合物流量計(5)とを備える、燃料制御システム(300)。
【請求項２】
更に、燃料源(310)と水源(315)と混合物流量計(5)に通信可能に連結されたコントロー
ラ(360)を備え、コントローラ(360)は、測定された燃料の流量と測定された水の流量とに基づいて燃料消費量を計算するように構成される、請求項１に記載の燃料制御システム(300)。
【請求項３】
測定された燃料の流量と測定された水の流量とに基づいて燃料消費量を計算するように構成されているコントローラ(360)は、以下の式に基づいて燃料消費率を計算するように
構成され、
【数９】
2020172930.tif 000011
ここで、
SFOC =燃料消費率(g/kWh);
QTEST =試験中の燃料油の正味カロリー(発熱)量(MJ/kg);
QCONT = 工場受入れ試験と言及されるエンジンのベースライン特性評価中の燃料油の正味カロリー量(MJ/kg)
α =パワー調整係数
K =示されたパワーの比率;
Be =試験ベッドでの燃料油消費量(g/kWh); 及び 
EDP = エンジン駆動ポンプ(g/kWh)
である、請求項２に記載の燃料制御システム(300)。
【請求項４】
試験中の燃料油の正味カロリー量(QTEST)は以下の式を用いて書き換えられ、
【数１０】
2020172930.tif 000012
ここで、
QNEW = 燃料/水の混合物のカロリー量;
QFUEL =燃料油のカロリー量;
QWATER = 水のカロリー量;
mFUEL =燃料の質量流量濃縮係数;及び
mWATER = 水の質量流量濃縮係数
である、請求項３に記載の燃料制御システム(300)。
【請求項５】
測定された燃料及び水の流量に基づいて燃料消費量を計算するように構成されているコントローラ(360)は、測定された燃料の流量、測定された水の流量、及び混合物流量計(5)によって提供された燃料/水の混合物の測定された流量に基いて、燃料の質量流量濃縮係
数(mFUEL)及び水の質量流量濃縮係数(mWATER)を計算するように構成される、請求項２に
記載の燃料制御システム(300)。
【請求項６】
水源(315)は水源流量計(5W)を含み、燃料源(310)は燃料源流量計(5f)を含む、請求項１乃至５の何れかに記載の燃料制御システム(300)。
【請求項７】
水の流量を測定するように構成されている水源(315)は、水の質量流量(mFLOW WATER)を測定するように構成され、燃料の流量を測定するように構成されている燃料源(310)は、
燃料の質量流量(mFLOW FUEL) を測定するように構成されている、請求項１乃至６の何れ
かに記載の燃料制御システム(300)。
【請求項８】
ミキサー(330)から燃料/水の混合物の特性を受け取って測定するように構成されている混合物流量計(5)は、燃料/水の混合物の質量流量(mFLOW TOTAL) を測定するように構成されている、請求項１乃至７の何れかに記載の燃料制御システム(300)。
【請求項９】
測定された燃料の流量と測定された水の流量は体積流量であり、燃料源(310)は更に、
燃料の流量の密度を測定するように構成され、水源(315)は更に、水の流量の密度を測定
するように構成され、燃料/水の混合物の特性は、燃料/水の混合物の体積流量及び密度のうちの少なくとも１つを含む、請求項１乃至８の何れかに記載の燃料制御システム(300)
。
【請求項１０】
燃料と水の混合物の燃料消費量を計算する方法であって、
燃料/水の混合物を流すステップと、
燃料/水の混合物中の燃料と水の流量を測定するステップと、
測定された燃料と水の流量に基づいて燃料消費量を計算するステップを含む、方法。
【請求項１１】
測定された燃料と水の流量に基づいて燃料消費量を計算するステップは、以下の式に基づいて燃料消費率を計算するステップを含み、
【数１１】
2020172930.tif 000013
ここで、
SFOC =燃料消費率(g/kWh);
QTEST =試験中の燃料油の正味カロリー(発熱)量(MJ/kg);
QCONT = 工場受入れ試験と言及されるエンジンのベースライン特性評価中の燃料油の正味カロリー量(MJ/kg)
α =パワー調整係数
K =示されたパワーの比率;
Be =試験ベッドでの燃料油消費量(g/kWh); 及び 
EDP = エンジン駆動ポンプ(g/kWh). 
である、請求項１０に記載の方法。
【請求項１２】
試験中の燃料油の正味カロリー量(QTEST)は以下の式を用いて書き換えられ、
【数１２】
2020172930.tif 000014
ここで、
QNEW = 燃料/水の混合物のカロリー量;
QFUEL =燃料油のカロリー量;
QWATER = 水のカロリー量;
mFUEL =燃料の質量流量濃縮係数;及び
mWATER = 水の質量流量濃縮係数
である、請求項１１に記載の方法。
【請求項１３】
測定された燃料と水の流量に基づいて燃料消費量を計算するステップは、燃料及び水の測定された流量、及び燃料/水の混合物の測定された流量に基いて、燃料の質量流量濃縮
係数(mFUEL)及び水の質量流量濃縮係数(mWATER)を計算するステップを含む、請求項１０
乃至１２の何れかに記載の方法。
【請求項１４】
燃料と水の流量を測定するステップは、水の質量流量(mFLOW WATER)及び燃料の質量流
量(mFLOW FUEL) を測定するステップを含む、請求項１０乃至１３の何れかに記載の方法
。
【請求項１５】
燃料と水の流量を測定するステップは、燃料/水の混合物の質量流量(mFLOW TOTAL)を測定するステップを含む、請求項１０乃至１４の何れかに記載の方法。
【請求項１６】
測定された燃料の流量と測定された水の流量は体積流量であり、方法は更に燃料の流量及び水の流量の少なくとも１つの密度を測定するステップを含む、請求項１０乃至１５の何れかに記載の方法。
【発明の詳細な説明】
【技術分野】
【０００１】
以下に説明する実施形態は、燃料消費量計算に関し、より詳細には、燃料と水の混合物の燃料消費量計算に関する。
【背景技術】
【０００２】
海洋産業は船舶のエンジンに重油を使用している。 エンジンに燃料を供給する燃料ラ
イン内の水の量は、重油の量に対して少ない。この低濃度の水は、高濃度の重油の後に蒸発する。水は重油よりも安価なので、水を燃やすとエンジンの効率が向上する。しかし、多くの基準は水が無い状態での燃料の消費に基づいている。
【０００３】
例えば、燃料消費率（SFOC）値は、船舶用エンジンの燃料効率である。エンジンの現在のライフサイクルの使用状況を判断するために、エンジンのSFOCをISO規格（ISO 3046-1
）に基づいて計算し、工場受入れ試験SFOCと比較することができる。エンジンの一般的な寿命は10年以上であるため、このISO規格の比較は、エンジン製造業者によって販売され
ている予防メインテナンス/サービスプログラムの有効性を証明するためにも使用され得
る。以下は、エンジンのSFOCをISO規格に修正するのに用いられる測定データの少ない例
である。
・大気温度
・大気湿度
・燃料カロリー量
【０００４】
水が燃料に混合されると、燃焼混合物のカロリー(発熱)量は、純粋な燃料のカロリー量とは異なる。カロリー量に対するこの影響が考慮されない場合、顧客は誤ったSFOCデータを解釈し、それ故にエンジンメインテナンスサービスの効率の増減を誤って評価する。従って、燃料と水の混合物の燃料消費量計算を求めるニーズがある。
【発明の概要】
【０００５】
ミキサーを含み、燃料と水の混合物の燃料消費量計算のための燃料制御システムが提供される。実施形態によれば、燃料制御システムは、ミキサーに流体が行き来可能に連結され、ミキサーへの燃料の流量を測定するように構成された燃料源と、ミキサーに流体が行き来可能に連結され、ミキサーへの水の流量を測定するように構成された水源と、ミキサーに行き来可能に連結された混合物流量計であって、混合物流量計は、ミキサーから燃料/水の混合物の特性を受け取って測定するように構成されている。
【０００６】
燃料と水の混合物の燃料消費量を計算する方法が提供される。実施形態によれば、方法は、燃料/水の混合物を流すステップと、燃料/水の混合物中の燃料と水の流量を測定するステップと、測定された燃料と水の流量に基づいて燃料消費量を計算するステップを含む。
【０００７】
態様
一態様によれば、燃料と水の混合物の燃料消費量計算のための燃料制御システム(300)
は、ミキサー(330)と、ミキサー(330)に流体が行き来可能に連結され、ミキサー(330)へ
の燃料の流量を測定するように構成された燃料源(310)と、ミキサー(330)に流体が行き来可能に連結され、ミキサー(330)への水の流量を測定するように構成された水源(315)と、ミキサー(330)に行き来可能に連結された混合物流量計(5)であって、混合物流量計(5)は
、ミキサー(330)から燃料/水の混合物の特性を受け取って測定するように構成されている。
【０００８】
好ましくは、燃料制御システム(300)は更に、燃料源(310)と水源(315)と混合物流量計(5)に通信可能に連結されたコントローラ(360)を備え、コントローラ(360)は、測定された燃料の流量と測定された水の流量とに基づいて燃料消費量を計算するように構成される。
【０００９】
好ましくは、測定された燃料の流量と測定された水の流量とに基づいて燃料消費量を計算するように構成されているコントローラ(360)は、以下の式に基づいて燃料消費量を計
算するように構成されている。
【数１】
2020172930.tif 000003
ここで、
SFOC =燃料消費率(g/kWh);
QTEST =試験中の燃料油の正味カロリー(発熱)量(MJ/kg);
QCONT = 工場受入れ試験と言及されるエンジンのベースライン特性評価中の燃料油の正味カロリー量(MJ/kg)
α =パワー調整係数
K =示されたパワーの比率;
Be =試験ベッドでの燃料油消費量(g/kWh); 及び 
EDP = エンジン駆動ポンプ(g/kWh)
である。
【００１０】
好ましくは、試験中の燃料油の正味カロリー量(QTEST)は以下の式を用いて書き換えら
れる。
【数２】
2020172930.tif 000004
ここで、
QNEW = 燃料/水の混合物のカロリー量;
QFUEL =燃料油のカロリー量;
QWATER = 水のカロリー量;
mFUEL =燃料の質量流量濃縮係数;及び
mWATER = 水の質量流量濃縮係数
である。
【００１１】
好ましくは、測定された燃料及び水の流量に基づいて燃料消費量を計算するように構成されているコントローラ(360)は、測定された燃料の流量、測定された水の流量、及び混
合物流量計(5)によって提供された燃料/水の混合物の測定された流量に基いて、燃料の質量流量濃縮係数(mFUEL)及び水の質量流量濃縮係数(mWATER)を計算するように構成される
。
【００１２】
好ましくは、水源(315)は水源流量計(5W)を含み、燃料源(310)は燃料源流量計(5f)を含む。
好ましくは、水の流量を測定するように構成されている水源(315)は、水の質量流量(mFLOW WATER)を測定するように構成され、燃料の流量を測定するように構成されている燃料源(310)は、燃料の質量流量(mFLOW FUEL) を測定するように構成されている。
【００１３】
好ましくは、ミキサー(330)から燃料/水の混合物の特性を受け取って測定するように構
成されている混合物流量計(5)は、燃料/水の混合物の質量流量(mFLOW TOTAL) を測定するように構成されている。
好ましくは、測定された燃料の流量と測定された水の流量は体積流量であり、燃料源(310)は更に、燃料の流量の密度を測定するように構成され、水源(315)は更に、水の流量の密度を測定するように構成され、燃料/水の混合物の特性は、燃料/水の混合物の体積流量及び密度のうちの少なくとも１つを含む。
【００１４】
一態様によれば、燃料と水の混合物の燃料消費量を計算する方法は、燃料/水の混合物
を流すステップと、燃料/水の混合物中の燃料と水の流量を測定するステップと、測定さ
れた燃料と水の流量に基づいて燃料消費量を計算するステップを含む。
【００１５】
好ましくは、測定された燃料と水の流量に基づいて燃料消費量を計算するステップは、以下の式に基づいて燃料消費量を計算するステップを含む。
【数３】
2020172930.tif 000005
ここで、
SFOC =燃料消費率(g/kWh);
QTEST =試験中の燃料油の正味カロリー(発熱)量(MJ/kg);
QCONT = 工場受入れ試験と言及されるエンジンのベースライン特性評価中の燃料油の正味カロリー量(MJ/kg)
α =パワー調整係数
K =示されたパワーの比率;
Be =試験ベッドでの燃料油消費量(g/kWh); 及び 
EDP = エンジン駆動ポンプ(g/kWh). 
である。
【００１６】
好ましくは、試験中の燃料油の正味カロリー量(QTEST)は以下の式を用いて書き換えら
れる。
【数４】
2020172930.tif 000006
ここで、
QNEW = 燃料/水の混合物のカロリー量;
QFUEL =燃料油のカロリー量;
QWATER = 水のカロリー量;
mFUEL =燃料の質量流量濃縮係数;及び
mWATER = 水の質量流量濃縮係数
である。
【００１７】
好ましくは、測定された燃料と水の流量に基づいて燃料消費量を計算するステップは、燃料及び水の測定された流量、及び燃料/水の混合物の測定された流量に基いて、燃料の
質量流量濃縮係数(mFUEL)及び水の質量流量濃縮係数(mWATER)を計算するステップを含む
。
好ましくは、燃料と水の流量を測定するステップは、水の質量流量(mFLOW WATER)及び
燃料の質量流量(mFLOW FUEL) を測定するステップを含む。
好ましくは、燃料と水の流量を測定するステップは、燃料/水の混合物の質量流量(mFLO
W TOTAL)を測定するステップを含む。
好ましくは、測定された燃料の流量と測定された水の流量は体積流量であり、方法は更に燃料の流量及び水の流量の少なくとも１つの密度を測定するステップを含む。
【図面の簡単な説明】
【００１８】
同じ参照番号は、全ての図面上の同じ要素を表す。図面は必ずしも縮尺通りではないことを理解すべきである。
【図１】燃料と水の混合物の燃料消費量を計算するための燃料制御システム100を示す。
【図２】燃料と水の混合物の燃料消費量を計算するための他の燃料制御システム200を示す。
【図３】燃料と水の混合物の燃料消費量を計算するための他の燃料制御システム300を示す。
【図４】燃料と水の混合物の燃料消費量を計算するための方法400を示す。
【発明を実施するための形態】
【００１９】
図１-図４及び以下の説明は、当業者に燃料と水の混合物の燃料消費量の計算の最良の
形態の実施形態を作成および使用する方法を教示する特定の例を示す。本発明の原理を教示する目的のために、いくつかの従来の態様は簡略化または省略されている。当業者は、本明細書の範囲内に入るこれらの例からの変形を理解するであろう。当業者であれば、以下に説明する構成を多種の方法で組み合わせて、燃料と水の混合物の燃料消費量の計算の複数の変形を形成できることを理解するであろう。その結果、以下に説明する実施形態は、後述する特定の例に限定されるものではない。
【００２０】
燃料制御システム
図１は、燃料と水の混合物の燃料消費量を計算するための燃料制御システム100を示す
。図１に示すように、燃料制御システム100は、エンジン20に流体が行き来可能に連結さ
れた混合物流量計5を含む。また、エンジン20によって供給された未消費燃料を運ぶ燃料
ラインからなる再循環器150が示されている。再循環器150は、消費されるべき未消費燃料をエンジン20に再循環する。混合物流量計5は、再循環器150を介してエンジン20に流体的に連結されている。
【００２１】
図１に示すように、混合物流量計5は、コリオリ流量計のような振動式流量計であるが
、代替の実施形態では、他の適切な流量計が用いられ得る。混合物流量計5は、混合物流
量計5を通って流れる燃料の特性及び特質を測定及び/又は決定するように構成され得る。例えば、混合物流量計5は、混合物流量計5を通って流れる燃料/水の混合物の流量を測定
することができる。
【００２２】
混合物流量計5は単一の一体化ユニットとして示されるが、混合物流量計5は、燃料制御システム100全体に分配された別個の構成要素から構成されてもよい。例えば、混合物流
量計5内のメータ電子機器は、例えばエンジン20に通信可能に連結された別個のコントロ
ーラの一部とすることができる。更に又はこれに代えて、混合物流量計5は、燃料の密度
を測定する第１の構成要素、流量を測定する第２の構成要素など、特定の機能を実行する別個の構成要素から構成することができる。混合物流量計5はまた、燃料制御システム100内の異なる場所に配置されてもよい。例えば、混合物流量計5は、エンジン20のより近く
に配置されてもよく、再循環器150の一部などであってもよい。
【００２３】
図１に示すように、混合物流量計5は燃料/水の混合物を受け取り、燃料/水の混合物を
再循環器150に供給する。混合物流量計5によって供給された燃料/水の混合物は、エンジ
ン20によって供給された未消費の燃料/水の混合物と混合される。理解されるように、混
合物流量計5は、エンジン20による消費量と同じ量で燃料／水混合物を再循環器150に供給する。理解されるように、図１はシリアル構成を示す。即ち、燃料/水の混合物をエンジ
ン20に供給するためにただ１つの混合物流量計5が使用される。さらに、エンジン20によ
る消費量は混合物流量計5から決定される。以下の説明が示すように、他の構成が用いら
れ得る。
【００２４】
図２は、燃料と水の混合物の燃料消費量を計算するための他の燃料制御システム200を
示す。図２に示すように、燃料制御システム200は、エンジン20に流体が行き来可能に連
結された入口側流量計5iを含む。戻り側流量計5rもエンジン20に流体的に結合されている。また、エンジン20によって供給された未消費の燃料／水混合物を再循環させる燃料ラインからなる再循環器250も示されている。再循環器250は、再循環した燃料/水の混合物を
消費すべきエンジン20に戻すように搬送する。入口側流量計51はエンジン20に流体が行き来可能に連結され、戻り側流量計5rは再循環器250を介して入口側流量計51に流体が行き
来可能に連結されている。入口側流量計5i、戻り側流量計5rは、図１を参照して説明した混合物流量計5と同じである。水源側流量計5w及び燃料源側流量計5fも示されており、こ
れらはミキサー230に流体が行き来可能に連結されている。ミキサー230は入口側流量計5i、戻り側流量計5rに流体が行き来可能に連結されている。
【００２５】
水源側流量計5w及び燃料源側流量計5fは夫々、水及び燃料をミキサー230に供給する。
水源側流量計5w及び燃料源側流量計5fは、ミキサー230に供給される水及び燃料の流量を
測定する。測定された流量は、体積流量又は質量流量などの任意の適切な流量である。ミキサー230は、燃料と水を混合して燃料/水の混合物にし、燃料/水の混合物を入口側流量
計5iに供給する。
【００２６】
入口側流量計5iは、ミキサー230から燃料/水の混合物を受け取り、燃料/水の混合物を
エンジン20に供給する。入口側流量計5iによって提供される燃料/水の混合物は、エンジ
ン20によって提供される未消費の燃料/水の混合物と混合される。理解されるように、入
口側流量計5iは、エンジン20による消費量と同様である量の再混合された燃料/水の混合
物をエンジン20に提供する。エンジン20による消費量はまた、入口側流量計5i及び戻り側流量計5rによって測定された流量の差と同様である。理解されるように、図２は、入口側流量計5i、エンジン20、および戻り側流量計5rの並列構成を示している。
【００２７】
燃料と水の混合物の燃料消費量を計算するための他の燃料制御システム300を示す。図
３に示すように、燃料制御システム300は、バルブ320に流体が行き来可能に連結された燃料源310を含む。バルブ320は、バルブ320を介して供給される燃料を受け取るように構成
されている第１のミキサー330に流体が行き来可能に連結されている。第１のミキサー330は、水源315に流体が行き来可能に連結されており、水源315によって提供された水を受け取るように構成されている。第１のミキサー330は、図３に示す混合物流量計5に流体が行き来可能に連結され、 燃料/水の混合物を混合物流量計5に供給するように構成されてい
る。混合物流量計5は、供給された燃料/水の混合物を受け取って、その特性を測定するように構成されている。混合物流量計5は、第２のミキサー340に流体が行き来可能に連結されている。第２のミキサー340もエンジン20及び再循環器350に流体が行き来可能に連結されている。第２のミキサー340及び再循環器350はエンジン20に流体が行き来可能に連結されている。第２のミキサー340は、混合物流量計5によって供給された燃料/水の混合物と
再循環器350からの再循環された燃料/水の混合物とを受け取り、混合して再混合した燃料/水の混合物にするように構成される。第２のミキサー340は、再混合された燃料/水の混
合物をエンジン20に供給する。混合物流量計5、エンジン20、燃料源310、水源315、バル
ブ320、及び再循環器350は、コントローラ360に通信可能に連結されている。
【００２８】
燃料源310及び水源315は、水源側流量計5w及び燃料源側流量計5fから構成されるかまた
はそれらを含む。例えば、燃料源310及び水源315は、水源側流量計5w及び燃料源側流量計5fの入口に流体が行き来可能に連結されたタンクを含む。従って、水源側流量計5w及び燃料源側流量計5fは、コントローラ360に通信可能に連結される。水源側流量計5w及び燃料
源側流量計5fはまた、燃料と水を第1のミキサー330に供給する。混合物流量計5は、入口
側流量計5i、戻り側流量計5rを簡略化して表すことができる。混合物流量計5は、エンジ
ン20による燃料/水の混合物の消費量を測定することができる。
【００２９】
第１及び第２のミキサー330、340は、燃料/水の混合物を保持し混合して均質な混合物
にするように構成されたタンクであり得る。第１及び第２のミキサー330、340は、燃料を均質化するために様々な機構に依存する(rely on)。例えば、第１および第２のミキサー330、340は、燃料を均質化するために、例えば、環境振動、攪拌機などを使用することが
できる。しかし、他の実施形態では、任意の適切な構成を採用することができる。均質化されることによって、燃料/水の混合物は、均一に受け取った燃料と水とからなる。理解
されるように、均一ではあるが、燃料及び水の濃度は経時的に変化し得る。
【００３０】
再循環器350は、エンジン20によって再循環される燃料/水の混合物を調整して、エンジン20によって消費されるように構成されてもよい。再循環器350は、圧力コントローラ、
温度コントローラなどから構成することができるが、任意の適切な構成を採用することができる。再循環された燃料/水の混合物がエンジン20による使用に適しているように、圧
力、温度などを制御するコントローラ360を含んで、エンジン20によって再循環された燃
料/水の混合物を調整する。しかし、代替の実施形態において、コントローラ360によって制御されない構成要素を利用して、燃料/水の混合物を再調整する。
【００３１】
コントローラ360は、メモリ及びＩ/ Ｏポートに通信可能に結合されたプロセッサを含
む回路基板であるが、代替の実施形態では任意の適切なコントローラを使用することができる。コントローラ360は、本明細書に記載の方法などの方法を実行して、図３に示す燃
料制御システム300を通る燃料/水の混合物の流量を制御するソフトウェアを含むことができる。ソフトウェアはメモリに格納され、且つコントローラ360内のプロセッサによって
実行されてもよい。コントローラ360は単一の回路基板として説明されているが、代替実
施形態では、他のコントローラは、サブボード、モジュールなどの２つ以上の基板から構成されてもよい。
【００３２】
図３には示されていないが、燃料制御システム300は、温度または圧力センサ、流量制
御バルブ、圧力調整器などの更なる構成要素から構成することができる。或いは、他の実施形態では図３に示す全ての要素を用いない。例えば、他の実施形態は、第１及び第２のミキサー330、340、再循環器350などを使用しよい。更に又はこれに代えて、図３の構成
は他の構成を有してもよい。例えば、第１及び第２のミキサー330、340は、コントローラ360によって制御されるセンサ及び/又はアクチュエータを含み、第１及び第２のミキサー330、340によって受け取られた燃料/水の混合物を混合する。
【００３３】
示されるように、コントローラ360は、I /Oポートを使用して混合物流量計5、エンジン20、燃料源310、水源315、バルブ320、及び再循環器350と通信するように構成されてもよい。I /Oポートは、例えば、シリアル、パラレル、パケットベースなどの任意の適切な通信手段を使用して通信するように構成され得る。コントローラ360は、例えば、I / Oポートを介して燃料源３１０、水源３１５、混合物流量計５からの流量測定値、エンジン２０からの燃料消費量データ、バルブ３２０からのバルブ位置情報、及び再循環器350からの
燃料/水の混合物の再循環データを受信することができる。コントローラ360はまた、バルブ開閉コマンドなどのコマンドをバルブ320に送信し、燃料調整コマンドを再循環器350に送信する。
【００３４】
コントローラ360内のプロセッサは、受信した流量データを使用して、混合物流量計5を通って流れる燃料/水の混合物の流量を計算する。コントローラ360内のプロセッサはまた、混合物流量計5によって提供される燃料/水の混合物の流量を使用して燃料/水の混合物
の消費率を決定するように構成されてもよい。コントローラ360内のプロセッサはまた、I
/ Oポートを介してバルブ320を開閉するためのコマンドを送信する。コントローラ360はまた、コマンドがバルブ320に送信される時間を決定するためにプロセッサによって使用
されるタイマを含み得る。以下により詳細に説明されるように、コントローラ360は、燃
料/水の混合物の燃料消費量を計算することができる。
【００３５】
燃料(水分を含まない)のカロリー量は、ISO-SFOC計算で使用され、下記の式(１)でQTEST として表示される。
【数５】
2020172930.tif 000007
ここで、
SFOC =燃料消費率(g/kWh);
QTEST =試験中の燃料油の正味カロリー(発熱)量(MJ/kg);
QCONT = 工場受入れ試験と言及されるエンジンのベースライン特性評価中の燃料油の正味カロリー量(MJ/kg)
α =パワー調整係数
K =示されたパワーの比率;
Be =試験ベッドでの燃料油消費量(g/kWh); 及び 
EDP = エンジン駆動ポンプ(g/kWh)
である。
用語「SFOC」が用いられるが、例えばBISOのような代替の用語が用いられ、これはまたISO3046-1に従った燃料油消費率とも言及される。
【００３６】
燃料/水の混合物が混合物流量計５に供給されると、以下の式(２)に見られるように、
書き換えられた燃料/水の混合物のカロリー(発熱)量値が計算される。
【数６】
2020172930.tif 000008
ここで、
QNEW = 燃料/水の混合物のカロリー量;
QFUEL =燃料油のカロリー量;
QWATER = 水のカロリー量;
mFUEL =燃料の質量流量濃度係数;及び
mWATER = 水の質量流量濃度係数
である。
【００３７】
質量流量濃縮係数mFUEL及びmWATERは、夫々以下の式(３)及び式(４)にて計算される。
【数７】
2020172930.tif 000009
ここで、
mFLOW FUEL =燃料の質量流量,
mFLOW WATER =水の質量流量；及び
mFLOW TOTAL =燃料/水の質量流量
である。
【００３８】
燃料、水及び燃料/水の混合物は、図３を参照して記載した水源側流量計及び燃料源側
流量計5w、5f及び混合物流量計5によって測定される。水源側流量計及び燃料源側流量計5w、5f及び混合物流量計5は測定された質量流量をコントローラ360に提供し、該コントロ
ーラは式(３)及び(４)を用いて質量流量濃度係数を計算し、式(２)を用いて燃料/水の混
合物のカロリー量QNEW を計算し、燃料/水の混合物についてSFOC を計算する。
【００３９】
燃料/水の混合物についてSFOC を計算するとき、次の式（５）に示されるように、燃料/水の混合物のカロリー量QNEWがQTEST の代わりに使用される。
【数８】
2020172930.tif 000010
ここで
SFOCCORR=燃料/水の混合物について補正された燃料油消費率（g/kWh）
【００４０】
従って、ベースラインまたは工場での受入れ試験SFOCでは燃料油の発熱量QCONTしか使
用されていなかったが、修正された燃料油消費率SFOCCORRには水分のカロリー量が含まれている。
【００４１】
SFOC を修正するのに他の方法が用いられる。例えば、混合物についてSFOCを修正する
ための代替方法は、「消費される燃料質量」値を修正し、「燃料カロリー量」値を修正しないままにすることによる。「消費される燃料質量」の値は、全流体の燃焼測定値を使用する代わりに、燃料の混合物に添加された燃料のみを使用することによって修正される。或いは、水源側流量計及び燃料源側流量計5w、5f及び混合物流量計5による流量測定は体
積流量測定であり得る。従って、燃料消費量の計算は、質量ではなく体積に基づいている。以下は、燃料/水の混合物の燃料消費量を計算する方法を示す。
【００４２】
方法
図４は、燃料と水の混合物の燃料消費量を計算する方法400を示す。方法400は、ステップ410において燃料/水の混合物を流すことによって開始する。燃料/水の混合物は、燃料
源310によって供給される燃料油と水源315によって供給される水との混合物であり得るが、任意の適切な燃料/水の混合物を使用することができる。燃料/水の混合物は、第１のミキサー330内で混合され、混合物流量計5に供給されてもよい。燃料及び水の濃度は、例えば、燃料又は水の流量を制御することによって経時的に変化し得る。
【００４３】
ステップ420にて、方法400は、燃料/水の混合物中の燃料と水の流量を測定する。燃料
及び水の濃度が変化するために、燃料及び/又は水の測定された質量流量は変化する。水
及び燃料の流量は、水源側流量計及び燃料源側流量計5w、5fによって測定することができる。水源側流量計及び燃料源側流量計5w、5fは、測定された燃料及び水の流量をコントローラ360に提供することができる。同様に、燃料/水の混合物の流量は、混合物流量計5に
よって測定され、コントローラ360に供給される。
【００４４】
ステップ430にて、方法400は、測定された燃料及び水の流量に基づいて燃料消費量を計算する。計算された燃料消費量は、式（５）を使用して計算され修正された燃料油消費率SFOCCORRであり得るが、任意の適切な燃料消費量計算が使用され得る。式（２）―（５）を参照すると、燃料/水の混合物の正味のカロリー量QNEWは、燃料と水の質量流量ｍFLOW FUEL、ｍFLOW WATERに基づいて計算することができる。修正された燃料油消費率SFOCCORRは、燃料/水の混合物の正味のカロリー量に基づいて計算することができる。
【００４５】
燃料消費量は連続して計算される。例えば、コントローラ360は水源側流量計及び燃料
源側流量計5w、5fからｍFLOW FUEL、ｍFLOW WATERを連続して受信し、混合物流量計5から総質量流量mFLOW TOTAL を連続して受信し、連続して且つ反復して修正された燃料油消費率SFOCCORRを計算する。更に又はこれに代えて、質量流量ｍFLOW FUEL、ｍFLOW WATER、mFLOW TOTAL 測定値間の時間遅延及び対応する燃料/水の混合物の消費量が含まれる。例えば、修正された燃料油消費率SFOCCORRは遅延分が相殺された測定データで計算されて、指示された出力Ｋとエンジン駆動ポンプＥＤＰとの比、ならびに経時的に変化する他の任意の補正係数が、エンジン20によって実際に消費される燃料/水の混合物に対応することを
確実にする。遅延は固定値でもよく、又は燃料/水の混合物の質量流量ｍFLOW TOTALに相
関してもよい。
【００４６】
上記で説明したように、燃料制御システム300と方法400は、燃料/水の混合物の燃料消
費量を計算する。燃料消費量は、燃料の質量流量及び水の質量流量に基づいて計算することができ、それらは水源側流量計及び燃料源側流量計5w、5fによって測定され得る。コントローラ360は、燃料/水の混合物中の燃料と水の両方のカロリー量を使用して燃料消費量を計算することができる。燃料/水の混合物の発熱量は、燃料/水の混合物中の燃料と水の質量濃度に基づく。例えば、修正された燃料油消費率SFOCCORRは、修正された燃料/水の
混合物のカロリー量QNEWを用いて計算することができ、それによって燃料/水の混合物中
の水のカロリー量を修正する。
【００４７】
その結果、エンジン20が燃料/水の混合物を消費しているとしても、エンジン20の燃料
油消費率SFOCは、ISO規格（例えば、ISO 3046-1）に基づいて計算され、工場受入れ試験SFOCと比較されて、エンジンの現在のライフサイクル使用量を決定する。このISO規格比較はまた、エンジン製造業者によって販売されている予防メンテナンス/保守プログラムの
有効性を証明するためにも使用することができる。修正された燃料油消費率SFOCCORRを使用すると、未修正の燃料油消費率SFOC計算を使用した場合よりも、予防メインテナンス/
サービスプログラムの有効性をより正確に評価し得る。
【００４８】
上記の実施形態の詳細な説明は、本発明の範囲内であると本発明者らが考えているすべての実施形態の網羅的な説明ではない。実際、当業者であれば、上述の実施形態の特定の要素は、さらなる実施形態を作成するために様々に組み合わせるまたは削除されることができ、このようなさらなる実施形態は本明細書の範囲および教示に含まれることを認識すべきであろう。また、当業者には、上述の実施形態を全体的または部分的に組み合わせて、本明細書の範囲および教示内の追加の実施形態を作成することができることは明らかであろう。
【００４９】
従って、特定の実施形態が本明細書において例示目的で記載されているが、当業者が認識するように、本明細書の範囲内で様々な均等な変更が可能である。本明細書で提供される教示は、上述され添付の図面に示される実施形態だけでなく、他の燃料/水の混合物の
燃料消費計算にも適用することができる。従って、上記の実施形態の範囲は、以下の特許請求の範囲から決定されるべきである。
【図１】
2020172930.tif 000015
【図２】
2020172930.tif 000016
【図３】
2020172930.tif 000017
【図４】
2020172930.tif 000018
【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
燃料と水の混合物の燃料消費率を計算するための燃料制御システム(300)であって、
ミキサー(330)と、
ミキサー(330)に流体が行き来可能に連結され、ミキサー(330)への燃料の流量を測定するように構成された燃料源(310)と、
ミキサー(330)に流体が行き来可能に連結され、ミキサー(330)への水の流量を測定するように構成された水源(315)と、
ミキサー(330)に流体が行き来可能に連結された混合物流量計(5)であって、ミキサー(330)から燃料と水の混合物を受け取って該混合物の特性を測定するように構成され、該混合物の特性は測定された燃料と水の混合物の流量を含む、混合物流量計(5)と、
燃料源(310)と水源(315)と混合物流量計(5)に通信可能に連結されたコントローラ(360)を備え、
コントローラ(360)は、測定された燃料の流量、測定された水の流量、及び混合物流量計(5)によって提供された燃料と水の混合物の測定された流量に基いて、燃料の質量流量濃縮係数(mFUEL)及び水の質量流量濃縮係数(mWATER)を計算するように構成され、且つ燃料の質量流量濃縮係数(mFUEL)及び水の質量流量濃縮係数(mWATER)に基づいて、燃料消費率を計算するように構成される、燃料制御システム(300)。
【請求項２】
測定された燃料の流量と測定された水の流量と測定された燃料と水の混合物の流量に基づいて燃料消費率を計算するように構成されているコントローラ(360)は、以下の式に基づいて燃料消費率を計算するように構成され、
【数９】
2020172930.tif 000019
ここで、
SFOC =燃料消費率(g/kWh);
QTEST =試験中の燃料油の正味カロリー(発熱)量(MJ/kg);
QCONT = 工場受入れ試験と言及されるエンジンのベースライン特性評価中の燃料油の正味カロリー量(MJ/kg)
α =パワー調整係数
K =示されたパワーの比率;
Be =試験ベッドでの燃料油消費率(g/kWh); 及び 
EDP = エンジン駆動ポンプの燃料油消費率(g/kWh)
である、請求項１に記載の燃料制御システム(300)。
【請求項３】
試験中の燃料油の正味カロリー量(QTEST)は以下の式を用いて書き換えられ、
【数１０】
2020172930.tif 000020
ここで、
QNEW = 燃料と水の混合物のカロリー量;
QFUEL =燃料油のカロリー量;
QWATER = 水のカロリー量;
mFUEL =燃料の質量流量濃縮係数;及び
mWATER = 水の質量流量濃縮係数
である、請求項２に記載の燃料制御システム(300)。
【請求項４】
水源(315)は水源流量計(5W)を含み、燃料源(310)は燃料源流量計(5f)を含む、請求項１乃至３の何れかに記載の燃料制御システム(300)。
【請求項５】
水の流量を測定するように構成されている水源(315)は、水の質量流量(mFLOW WATER)を測定するように構成され、燃料の流量を測定するように構成されている燃料源(310)は、燃料の質量流量(mFLOW FUEL) を測定するように構成されている、請求項１乃至４の何れかに記載の燃料制御システム(300)。
【請求項６】
ミキサー(330)から燃料と水の混合物の特性を受け取って測定するように構成されている混合物流量計(5)は、燃料と水の混合物の質量流量(mFLOW TOTAL) を測定するように構成されている、請求項１乃至５の何れかに記載の燃料制御システム(300)。
【請求項７】
測定された燃料の流量と測定された水の流量は体積流量であり、燃料源(310)は更に、燃料の流量の密度を測定するように構成され、水源(315)は更に、水の流量の密度を測定するように構成され、燃料と水の混合物の特性は、燃料と水の混合物の体積流量及び密度のうちの少なくとも１つを含む、請求項１乃至６の何れかに記載の燃料制御システム(300)。
【請求項８】
燃料と水の混合物の燃料消費率を計算する方法であって、
燃料と水の混合物を流すステップと、
燃料と水の混合物の流量を測定するステップと、
燃料と水の混合物中の燃料の流量と水の流量を測定するステップと、
測定された燃料の流量、測定された水の流量、及び混合物流量計(5)によって提供された燃料と水の混合物の測定された流量に基いて、燃料の質量流量濃縮係数(mFUEL)及び水の質量流量濃縮係数(mWATER)を計算するステップと、
燃料の質量流量濃縮係数(mFUEL)及び水の質量流量濃縮係数(mWATER)に基づいて、燃料消費率を計算するステップを含む、方法。
【請求項９】
測定された燃料の流量と測定された水の流量に基づいて燃料消費率を計算するステップは、以下の式に基づいて燃料消費率を計算するステップを含み、
【数１１】
2020172930.tif 000021
ここで、
SFOC =燃料消費率(g/kWh);
QTEST =試験中の燃料油の正味カロリー(発熱)量(MJ/kg);
QCONT = 工場受入れ試験と言及されるエンジンのベースライン特性評価中の燃料油の正味カロリー量(MJ/kg)
α =パワー調整係数
K =示されたパワーの比率;
Be =試験ベッドでの燃料油消費率(g/kWh); 及び 
EDP = エンジン駆動ポンプの燃料油消費率(g/kWh). 
である、請求項８に記載の方法。
【請求項１０】
試験中の燃料油の正味カロリー量(QTEST)は以下の式を用いて書き換えられ、
【数１２】
2020172930.tif 000022
ここで、
QNEW = 燃料と水の混合物のカロリー量;
QFUEL =燃料油のカロリー量;
QWATER = 水のカロリー量;
mFUEL =燃料の質量流量濃縮係数;及び
mWATER = 水の質量流量濃縮係数
である、請求項９に記載の方法。
【請求項１１】
燃料と水の流量を測定するステップは、水の質量流量(mFLOW WATER)及び燃料の質量流量(mFLOW FUEL) を測定するステップを含む、請求項８乃至１０の何れかに記載の方法。
【請求項１２】
燃料と水の流量を測定するステップは、燃料と水の混合物の質量流量(mFLOW TOTAL)を測定するステップを含む、請求項８乃至１１の何れかに記載の方法。
【請求項１３】
測定された燃料の流量と測定された水の流量は体積流量であり、方法は更に燃料の流量及び水の流量の少なくとも１つの密度を測定するステップを含む、請求項８乃至１２の何れかに記載の方法。
【外国語明細書】
2020172930000001.pdf